(57)【特許請求の範囲】
【請求項１】
フードを、同フードが枢動可能に結合された車両に対して支持するための支持機構であって、
車両に対して枢動可能に結合された第１の端部と、第２の端部と、を有する第１のアームと、
同第１のアームの前記第２の端部に対して枢動可能に結合された第１の端部と、第２の端部と、を有する第２のアームと、
車両に対して枢動可能に結合された第１の端部と、前記フードと係合して同フードを支持するための第２の端部と、前記第２のアームの第２の端部に対して枢動可能に結合された中心部分と、を有する持ち上げロッドと、
前記第１のアームと前記第２のアームとの間に結合され且つ同第２のアームの前記第２の端部を前記フードに向かって上方へと押し上げるように付勢された弾性部材と、を含み、
前記持ち上げロッドの前記第１の端部が、取り外し可能な枢支ピンによってブラケットに結合されており、前記取り外し可能な枢支ピンは、前記持ち上げロッドの前記第１の端部に設けられた穴と前記ブラケットと設けられた穴とに取り外し可能に受けれ入れられ、前記取り外し可能な枢支ピンは、下げられた位置に対して約９０度だけ前記フードを持ち上げるのを許容するように取り外し可能である、支持機構。
【請求項２】
請求項１に記載の支持機構であって、
枢支ピンが、前記第２のアームを前記第１のアームに結合し、前記弾性部材が同枢支ピンの周囲に巻かれている、支持機構。
【請求項３】
請求項１に記載の支持機構であって、
前記枢支ピンが、前記第２のアームを前記第１のアームに結合し、同枢支ピンは、前記アームのうちの一つに枢動しないように取り付けられており、前記弾性部材が、前記枢支ピンの周囲に巻かれており、同弾性部材は、前記枢支ピンに係留された内側端部と、他方のアームに係留された外側端部と、を有している、支持機構。
【請求項４】
請求項１に記載の支持機構であって、
前記枢支ピンが、前記第２のアームを前記第１のアームに結合し、同枢支ピンは、前記第１のアームに回転しないように取り付けられており、前記弾性部材が、前記枢支ピンの周囲に巻かれており、同弾性部材は、前記枢支ピンに係留された内側端部と、前記第２のアームに係留された外側端部と、を有している、支持機構。
【発明の詳細な説明】
【０００１】
【発明の属する技術分野】
本発明は、農業用又は工業用車両のような車両の車両エンジン及びその他の構成部品を覆うフードのための支持機構に関する。
【０００２】
【従来の技術】
農業用トラクタのような車両のフードを支持するために気体ばね（ｇａｓ  ｓｐｒｉｎｇ）を使用することは公知の方法である。しかしながら、気体ばねは気体の充填を消耗し又は喪失するので、故障しがちであり、これらのばねの力は温度が変わると変動する。いくつかの公知のフード支持装置は、フードを持ち上げ位置に保持するために安全掴み又は別個の支持ロッドを必要とする。従って、気体ばねの使用を排除し且つ安全掴み又は支持ロッドを必要としないフード支持機構を備えることが望ましい。
【０００３】
【発明が解決しようとする課題】
本発明の目的は、フード支持機構を提供することである。
もう一つの目的は、気体ばねの使用を排除したこのようなフード支持機構を提供することである。
【０００４】
もう一つ別の目的は、寿命が長く且つ安全掴み又は別個の支持ロッドの必要性を排除した、このようなフード支持機構を提供することである。
【０００５】
【課題を解決するための手段】
これらの及びその他の目的は、本発明によって達成される。本発明においては、支持機構が、フードを、同フードが枢動可能に結合される車両に対して持ち上げられた位置に支持する。この支持機構は、車両とフードとの間に結合された枢動持ち上げロッドを含んでいる。この機構はまた、中心の枢支ピンによって相互に枢動可能に結合され且つ車両とロッドの中心部分との間に結合された一対のアーム部材を含んでいる。平らなコイルばねが、中心の枢支ピンの周囲に巻かれ且つ前記アーム部材に取り付けられている。このばねは、フードを上方へ押し上げるように付勢されている。ロッドの下方端部は、取り外し可能な枢支ピンによって係留されており、この枢支ピンは、取り外されると、フードがその下げられた位置からほぼ９０度だけ持ち上げられるのを許容する。この支持機構によれば、気体ばねがなく、コイルばねが長い寿命を有し、安全掴み又は別個の支持ロッドが必要とされない。
【０００６】
【発明の実施の形態】
図１ないし４においてわかるように、フード１０は、ヒンジアセンブリ（図示せず）によって、農業用トラクタ（図示せず）のエンジン１２に対して、その後方端部において支持されている。フード１０は、支持機構１４によって持ち上げられた位置に保持されることができる。支持機構１４は、隔置されたアーム部材１８及び２０を有する第１のアーム１６を有しており、これらのアーム部材１８及び２０は、下方枢支ピン２２によって相互に結合された下方端部と、中心の枢支ピン２４に取り付けられた上方端部と、を有している。ピン２２は、エンジン１２の上方中心部分に固定されたブラケット２６によって枢動可能に受け入れられている。支持機構１４はまた、ピン２４を枢動可能に受け入れる下方端部と、上方枢支ピン３６によって相互に結合された上方端部と、を有している隔置されたアーム部材３２及び３４を有している第２のアーム３０をも含んでいる。
【０００７】
支持機構１４はまた、枢支ピン４４によって、エンジン１２の前方上方部分に固定されたブラケット４６に枢動可能に係合された第１の端部４２を有する持ち上げロッド４０をも含んでいる。ロッド４０はまた、フード１０の下側にボルト止めされたブラケット５２に枢支ピン５０によって枢動可能に結合されている第２の端部４８をも有している。ロッド４０の中心部分５４は、上方枢支ピン３６を介して、第２のアーム３０に枢動可能に結合されている。枢支ピン４４は、ブラケット４６から取り外されてロッド４０の自由端部４２に取り付けられままの状態とすることができ、それによって、フード１６は、図２の下げられた位置から、図１に示されている状態を越えて、約９０度だけ枢動せしめられた位置へと持ち上げることができる。
【０００８】
弾性部材、すなわち、ばね６０が、第１のアーム１６と第２のアーム３０との間に結合されており且つ第２のアーム３０の端部をフード１０に向かって上方へ押し上げフード１０を持ち上げるように付勢されている。弾性部材６０は、枢支ピン２４の周囲に巻かれている捻りばねであるのが好ましい。ばね６０は、アーム部材３２及び３４の中間部分同士の間に延びているピン６４によって、アーム３０に対して係留されている外側端部６２を有している。ばね６０の内側端部（図示せず）は、中心の枢支ピン２４に係留されている。ばね６０は、図で見て、時計方向上方へとフード１０に向かってアーム３０を枢動させるように付勢されており、このようにして、フード１０を持ち上げ且つ図１に示されているような持ち上げ位置に保持する。ばね６０の強度は、温度が変化すると若干変化し、フード１０をその持ち上げ位置に保持するのに十分であり且つ付加的な安全掴み又は支持ロッドが必要とされないように選択される。
【０００９】
以上、本発明を特定の実施形態と組み合わせて説明したが、上記の説明を参考にすれば、多くの代替え例、変形例及び変更例が当業者に明らかとなるであろう。従って、本発明は、特許請求の範囲の精神及び範囲に含まれるこのような代替え例、変形例及び変更例の全てを包含することを意図している。
【図面の簡単な説明】
【図１】持ち上げ位置にある本発明によるフード支持機構を備えた農業用トラクタのフードの側面図である。
【図２】図１と似ているが、フードが下げられた位置にある側面図である。
【図３】図１及び２のフード支持機構の拡大斜視図である。
【図４】下方から上方を見た、フード支持機構の拡大詳細斜視図である。
【符号の説明】
１０  フード、    １２  エンジン、
１４  支持機構、    １６  第１のアーム、
２２  下方枢支ピン、    ２４  中心の枢支ピン、
２６  ブラケット、    ３０  第２のアーム、
３２，３４  アーム部材、    ３６  上方枢支ピン、
４０  持ち上げロッド、    ４４  枢支ピン、
４６  ブラケット、    ５０  枢支ピン、
５２  ブラケット、    ６０  ばね、
６４  ピン
【図１】
0003665003.tif 000002
【図２】
0003665003.tif 000003
【図３】
0003665003.tif 000004
【図４】
0003665003.tif 000005